(57)【要約】【課題】  廃棄物処理用手袋において、廃棄物を掴んだ状態で衣服を汚すことなく裏返してゴミ袋とすることができ、そのまま外す場合でも手を汚さずに容易に外せること。【解決手段】  廃棄物処理用手袋１は、機械のオーバーホール等の作業が完了して廃棄物が溜まった場合には、袋状の部分６で廃棄物を掴んで他方の手で剛性を有し腕Ｈよりも一回り大きい枠３を持って、内周が腕Ｈに接しないように保持しつつ手首の方へ移動させると手袋本体２が裏返されて行き、枠３の内周が大きいので廃棄物を掴んだ部分６の拳も楽に通過でき、手袋本体２が廃棄物Ｄで汚れていても衣服の袖周りに汚れが飛び散る心配がない。完全に裏返して手を外すことによって、廃棄物Ｄが収納されたゴミ袋となる。手袋１を裏返さない場合でも、挿入口２ａと腕Ｈとの隙間から空気を吹き込めば指に貼り付いた手袋１の指先部分４，５，６と指との間が離れて、手袋１を容易に外すことができる。【選択図】        図２
2005188002.tif 000002
【特許請求の範囲】
【請求項１】
手に装着したとき前記手の挿入口が手首と肘の中間程度までくる長さ以上の長さを有し、前記挿入口が腕より一回り大きく、前記挿入口に沿って剛性を有する枠を設けたことを特徴とする廃棄物処理用手袋。
【請求項２】
前記枠を除く手袋本体は透明若しくは半透明の薄い合成樹脂からなることを特徴とする請求項１に記載の廃棄物処理用手袋。
【請求項３】
前記枠は前記手袋本体と同一材料で厚みを有する合成樹脂からなることを特徴とする請求項２に記載の廃棄物処理用手袋。
【請求項４】
前記合成樹脂はポリエチレンまたはポリプロピレンであることを特徴とする請求項２または請求項３に記載の廃棄物処理用手袋。
【請求項５】
前記枠は段ボールを含む厚紙からなることを特徴とする請求項１または請求項２に記載の廃棄物処理用手袋。
【請求項６】
前記枠は輪郭が略正方形以上の略正多角形になっているか、輪郭が略円形で等間隔をおいて厚さの薄い部分が４箇所以上形成されていることを特徴とする請求項１乃至請求項５のいずれか１つに記載の廃棄物処理用手袋。
【請求項７】
親指を除く４本の指を入れる部分が一体に袋状になっていることを特徴とする請求項１乃至請求項６のいずれか１つに記載の廃棄物処理用手袋。
【請求項８】
親指と人差し指を除く３本の指を入れる部分が一体に袋状になっていることを特徴とする請求項１乃至請求項６のいずれか１つに記載の廃棄物処理用手袋。
【請求項９】
作業中に前記挿入口を閉じておくための接着布の硬い側と軟らかい側、スナップの凸側と凹側、またはドット釦の凸側と凹側を前記挿入口の近傍の前記手袋本体表面に適当な間隔だけ離して固定したことを特徴とする請求項１乃至請求項８のいずれか１つに記載の廃棄物処理用手袋。
【請求項１０】
前記手袋本体を完全に裏返したときに前記枠の内側にくる位置または前記枠の近傍の内側にくる位置の前記手袋本体の表側に前記枠の内周の半分に接着布の硬い側を、残りの半分に接着布の軟らかい側を固定するか、前記枠の内周の半分にプラスティックファスナーの雄側を、残りの半分にプラスティックファスナーの雌側を配設するか、前記枠の内周の半分に両面テープの剥離紙の一方だけを剥がして貼り付けたことを特徴とする請求項１乃至請求項９のいずれか１つに記載の廃棄物処理用手袋。
【発明の詳細な説明】
【技術分野】
【０００１】
本発明は、廃棄物（汚物）を掴んで袖口から全体を裏返して抜き取ることによって、そのままゴミ袋として廃棄処分することができる廃棄物処理用手袋に関するものである。
【背景技術】
【０００２】
近年、ポリエチレン等からなる薄手で安価な使い捨て手袋が市販されており、例えば犬を散歩に連れて行く人がスコップやポリ袋を持ち歩く代わりにかかる使い捨て手袋を持って行き、犬が糞をしたら使い捨て手袋を手に嵌めて、犬の糞を掴んで袖口から全体を裏返して犬の糞ごと手から抜き取って、袖口を結んで家に持って帰って処分するという用途にも使われている。また、工作機械等の清掃やオーバーホールをする際にも、作業者がかかる使い捨て手袋を両手に嵌めて、ウエースを持って工作機械等の定盤に溜まった汚れたグリース等からなるヘドロを拭き取って、汚れたウエースを握ったまま袖口から全体を裏返してウエースごと手から抜き取って廃棄処分するといった使い方もされている。
【０００３】
また、介護用の薄手のナイロン製手袋や、清掃作業車の作業員等が用いる厚手のゴム手袋等の廃棄物処理用手袋もある。
【発明の開示】
【発明が解決しようとする課題】
【０００４】
しかしながら、特に上記汚れたグリース等からなるヘドロ等の流動性を有する廃棄物を扱う場合には、従来の使い捨て手袋では袖口が腕周りにほぼフィットするように作られているため、流動性を有する廃棄物が袖口まで流れてきて衣服が汚れる恐れがある。また、廃棄物を掴んだ状態で使い捨て手袋を裏返す際には、袖口が小さいため拳が通り難く拳に付着した汚れが衣服の袖周りに飛び散って衣服が汚れるという問題点があった。
【０００５】
また、裏返してゴミ袋の代わりに使用しない場合でも、指や掌に汗をかいたりすると使い捨て手袋が手に貼り付いて外し難いため、一方の指先でもう一方の指先を摘んで引張って外すことになるが、片方の使い捨て手袋を外した後はもう一方の使い捨て手袋の指先を素手で摘んで引張らなくてはならず、手が汚れる。かかる問題は、介護用の薄手のナイロン製手袋や厚手のゴム手袋等の廃棄物処理用手袋においても同様である。
【０００６】
そこで、本発明は、流動性を有する廃棄物を扱う場合にも廃棄物を掴んだ状態で衣服を汚すことなく裏返してゴミ袋とすることができ、そのまま外す場合でも手を汚さずに容易に外すことができる廃棄物処理用手袋を提供することを課題とするものである。
【課題を解決するための手段】
【０００７】
請求項１の発明にかかる廃棄物処理用手袋は、手に装着したとき前記手の挿入口が手首と肘の中間程度までくる長さ以上の長さを有し、前記挿入口が腕より一回り大きく、前記挿入口に沿って剛性を有する枠を設けたものである。
【０００８】
請求項２の発明にかかる廃棄物処理用手袋は、請求項１の構成において、前記枠を除く手袋本体は透明若しくは半透明の薄い合成樹脂からなるものである。
【０００９】
請求項３の発明にかかる廃棄物処理用手袋は、請求項２の構成において、前記枠は前記手袋本体と同一材料で厚みを有する合成樹脂からなるものである。
【００１０】
請求項４の発明にかかる廃棄物処理用手袋は、請求項２または請求項３の構成において、前記合成樹脂はポリエチレンまたはポリプロピレンであるものである。
【００１１】
請求項５の発明にかかる廃棄物処理用手袋は、請求項１または請求項２の構成において、前記枠は段ボールを含む厚紙からなるものである。
【００１２】
請求項６の発明にかかる廃棄物処理用手袋は、請求項１乃至請求項５のいずれか１つの構成において、前記枠は輪郭が略正方形以上の略正多角形になっているか、輪郭が略円形で等間隔をおいて厚さの薄い部分が４箇所以上形成されているものである。
【００１３】
請求項７の発明にかかる廃棄物処理用手袋は、請求項１乃至請求項６のいずれか１つの構成において、親指を除く４本の指を入れる部分が一体に袋状になっているものである。
【００１４】
請求項８の発明にかかる廃棄物処理用手袋は、請求項１乃至請求項６のいずれか１つの構成において、親指と人差し指を除く３本の指を入れる部分が一体に袋状になっているものである。
【００１５】
請求項９の発明にかかる廃棄物処理用手袋は、請求項１乃至請求項８のいずれか１つの構成において、作業中に前記挿入口を閉じておくための接着布の硬い側と軟らかい側、スナップの凸側と凹側、またはドット釦の凸側と凹側を前記挿入口の近傍の前記手袋本体表面に適当な間隔だけ離して固定したものである。
【００１６】
請求項１０の発明にかかる廃棄物処理用手袋は、請求項１乃至請求項９のいずれか１つの構成において、前記手袋本体を完全に裏返したときに前記枠の内側にくる位置または前記枠の近傍の内側にくる位置の前記手袋本体の表側に前記枠の内周の半分に接着布の硬い側を、残りの半分に接着布の軟らかい側を固定するか、前記枠の内周の半分にプラスティックファスナーの雄側を、残りの半分にプラスティックファスナーの雌側を配設するか、前記枠の内周の半分に両面テープの剥離紙の一方だけを剥がして貼り付けたものである。
【発明の効果】
【００１７】
請求項１の発明にかかる廃棄物処理用手袋（以下、単に「手袋」ともいう。）は、手に装着したとき手の挿入口（手袋の袖口）が手首と肘の中間程度以上までくるように長めに作られており、挿入口が腕より一回り大きく、その挿入口に沿って剛性を有する枠が設けられている。これによって、流動性を有する廃棄物を取り扱うときも、手袋本体に沿って流れてきた廃棄物が挿入口に設けられた枠で堰き止められて、衣服に垂れ落ちる心配がない。そして、廃棄物を掴んで裏返す際には、もう一方の手で枠を持って挿入口の内周全周が腕から離れるように保持する。このように保持できるように、挿入口を腕より一回り大きくするとともに枠に剛性を持たせているので、この操作は容易にできる。こうして保持したまま枠を握った手の方へ移動させることによって裏返せば、廃棄物を掴んだ拳も容易に通過して手袋本体が廃棄物で汚れていても衣服の袖周りに汚れが飛び散る心配がない。手袋を完全に裏返して廃棄物とともに手から外したら、袖部分が長めに作られているので手首と枠との間で結んで廃棄物がこぼれないようにできる。
【００１８】
また、手袋を裏返さない場合でも、挿入口と腕との間に大きな隙間があるので、この隙間から空気を吹き込んでやることによって指に貼り付いた手袋の指先部分と指との間が離れて、手を汚すことなく手袋を容易に外すことができる。
【００１９】
このようにして、流動性を有する廃棄物を扱う場合にも廃棄物を掴んだ状態で衣服を汚すことなく裏返してゴミ袋とすることができ、そのまま外す場合でも手を汚さずに容易に外すことができる廃棄物処理用手袋となる。
【００２０】
請求項２の発明にかかる廃棄物処理用手袋は、枠を除く手袋本体が透明若しくは半透明の薄い合成樹脂からなるため、機械の清掃のとき等、細かい入り組んだ部分まで綺麗に清掃することができ、また裏返すのも容易で、裏返した後中に何が入っているのか確認することができるのでその後の処理を誤ることもない。そして、挿入口に剛性を有する枠が設けられているので、裏返す際に衣服に汚れが付く心配もない。また、手袋を裏返さない場合でも、挿入口と腕との間に大きな隙間があるので、この隙間から空気を吹き込んでやることによって指に貼り付いた手袋の指先部分と指との間が離れて、手を汚すことなく手袋を容易に外すことができる。
【００２１】
このようにして、細かいところまで清掃ができ、裏返すのが容易で、裏返した後も外から中味を確認でき、流動性を有する廃棄物を扱う場合にも廃棄物を掴んだ状態で衣服を汚すことなく裏返してゴミ袋とすることができ、そのまま外す場合でも手を汚さずに容易に外すことができる廃棄物処理用手袋となる。
【００２２】
請求項３の発明にかかる廃棄物処理用手袋は、枠が手袋本体と同一材料で厚みを有する合成樹脂からなるため、枠と手袋本体を別々に製造して一体化する場合でも、同一材料であるため接着剤による接着或いは加熱による溶着等、容易にしかも強固に隙間なく固着することができる。さらに、合成樹脂の種類によっては、枠と手袋本体が一体になった金型を製作して、枠部分は射出成形等で、手袋本体はブロー成形等で一度に一体に製造することができ、大量生産できるので製造コストを大幅に低減することができる。
【００２３】
このようにして、製造が容易で製造コストを低減することができ、流動性を有する廃棄物を扱う場合にも廃棄物を掴んだ状態で衣服を汚すことなく裏返してゴミ袋とすることができ、そのまま外す場合でも手を汚さずに容易に外すことができる廃棄物処理用手袋となる。
【００２４】
請求項４の発明にかかる廃棄物処理用手袋は、手袋本体または手袋本体と枠を構成する合成樹脂はポリエチレンまたはポリプロピレンである。したがって、柔軟性があって手袋として使い易く大量生産でき安価に製造できるとともに、燃やしてもダイオキシン類等の有害物質を発生しないので、手袋単体で廃棄するときは燃えるゴミとして処理でき、また廃棄物を包んで裏返して縛ったときも、中の廃棄物が燃えるものであり燃やしても有害物質を発生しないものである場合には燃えるゴミとして処分することができる。
【００２５】
このようにして、柔軟性があって手袋として使い易く安価に製造できるとともに、燃えるゴミとして処理でき、流動性を有する廃棄物を扱う場合にも廃棄物を掴んだ状態で衣服を汚すことなく裏返してゴミ袋とすることができ、そのまま外す場合でも手を汚さずに容易に外すことができる廃棄物処理用手袋となる。
【００２６】
請求項５の発明にかかる廃棄物処理用手袋は、枠が段ボールまたは段ボール以外の厚紙からなる。したがって、枠を手袋本体に固定するには接着剤または両面テープ等で隙間なく強固に固定でき、また枠を自由な形状に保持することができる。
【００２７】
このようにして、枠を自由な形状に保持することができ、流動性を有する廃棄物を扱う場合にも廃棄物を掴んだ状態で衣服を汚すことなく裏返してゴミ袋とすることができ、そのまま外す場合でも手を汚さずに容易に外すことができる廃棄物処理用手袋となる。
【００２８】
請求項６の発明にかかる廃棄物処理用手袋は、枠の輪郭が略正方形以上の略正多角形になっているか、略円形で等間隔をおいて厚さの薄い部分が４箇所以上形成されている。したがって、枠の材質が何であれ、輪郭が略正方形の場合はまず対角を折り畳んで平らに潰し、さらに半分に折り曲げることによって手袋を小さく畳むことができる。枠の輪郭が略円形の場合には、厚さの薄い部分で折ることによって円周の４分の１以下に小さく畳むことができる。このように、使い終わった手袋を単体で廃棄する場合も、廃棄物を包んで裏返してゴミ袋とした場合も、枠を小さく折り畳むことによってその後の処理が容易になる。
【００２９】
このようにして、枠を小さく折り畳むことによって使い終わった手袋の処理が容易になり、流動性を有する廃棄物を扱う場合にも廃棄物を掴んだ状態で衣服を汚すことなく裏返してゴミ袋とすることができ、そのまま外す場合でも手を汚さずに容易に外すことができる廃棄物処理用手袋となる。
【００３０】
請求項７の発明にかかる廃棄物処理用手袋は、親指を除く４本の指を入れる部分が一体に袋状になっている所謂ミトン形状の手袋である。したがって、流動性を有する廃棄物或いは液体を含んだ廃棄物を扱う場合にも、一体に袋状になっている部分で掴むことによって、指の間から廃棄物がこぼれることなく漏らさず処理することができる。
【００３１】
このようにして、流動性を有する廃棄物或いは液体を含んだ廃棄物を扱う場合にも漏らさず処理することができ、流動性を有する廃棄物を扱う場合にも廃棄物を掴んだ状態で衣服を汚すことなく裏返してゴミ袋とすることができ、そのまま外す場合でも手を汚さずに容易に外すことができる廃棄物処理用手袋となる。
【００３２】
請求項８の発明にかかる廃棄物処理用手袋は、親指と人差し指を除く３本の指を入れる部分が一体に袋状になっている。したがって、流動性を有する廃棄物或いは液体を含んだ廃棄物を扱う場合にも、一体に袋状になっている部分で掴むことによって、指の間から廃棄物がこぼれることなく漏らさず処理することができる。さらに、親指と人差し指を入れる部分がそれぞれ分かれているため、細かいゴミやネジ等の小さい部品も親指と人差し指で摘むことができ、より細かい作業もこなすことができる。
【００３３】
このようにして、流動性を有する廃棄物或いは液体を含んだ廃棄物を扱う場合にも漏らさず処理することができるとともにより細かい作業もこなすことができ、流動性を有する廃棄物を扱う場合にも廃棄物を掴んだ状態で衣服を汚すことなく裏返してゴミ袋とすることができ、そのまま外す場合でも手を汚さずに容易に外すことができる廃棄物処理用手袋となる。
【００３４】
請求項９の発明にかかる廃棄物処理用手袋は、作業中に前記挿入口を閉じておくための接着布の硬い側と軟らかい側、スナップの凸側と凹側、またはドット釦の凸側と凹側を挿入口の近傍の手袋本体表面に適当な間隔だけ離して固定したものである。腕より一回り大きい挿入口は廃棄物を掴んだ拳も楽に通過させて裏返しにすることができ、また手袋をそのまま外す場合にも空気を吹き込んで手袋を外し易くできるが、機械等のオーバーホールや清掃等を行う場合には腕より一回り大きい挿入口がギアや突出部分等に引っ掛かる恐れがある。そこで、作業中のみ挿入口を折り畳んで腕にぴったりフィットさせて作業をし易くするために、接着布（マジックテープ：登録商標）の硬い側と軟らかい側、スナップの凸側と凹側、またはドット釦の凸側と凹側を挿入口の近傍の手袋本体表面に適当な間隔だけ離して固定し、これらを接着または嵌合させることによって挿入口を折り畳めるようにした。
【００３５】
このようにして、作業中のみ挿入口を折り畳んで腕にぴったりフィットさせて作業をし易くできるとともに、流動性を有する廃棄物を扱う場合にも廃棄物を掴んだ状態で衣服を汚すことなく裏返してゴミ袋とすることができ、そのまま外す場合でも手を汚さずに容易に外すことができる廃棄物処理用手袋となる。
【００３６】
請求項１０の発明にかかる廃棄物処理用手袋は、手袋本体を完全に裏返したときに枠の内側にくる位置またはその近傍の手袋本体の表側に、枠の内周の半分に接着布の硬い側を、残りの半分に接着布の軟らかい側を固定するか、枠の内周の半分にプラスティックファスナーの雄側を、残りの半分にプラスティックファスナーの雌側を配設するか、枠の内周の半分に両面テープの剥離紙の一方だけを剥がして貼り付けたものである。
【００３７】
これによって、手袋の５本指、４本指が一体となった袋状の部分、または３本指が一体となった袋状の部分で廃棄物を掴んで、枠の間を通して完全に裏返してから、手袋の内側になる接着布の硬い側を接着布の軟らかい側に全面に亘って密着させ、或いは手袋の内側になるプラスティックファスナーを完全に閉じ、或いは両面テープの残りの剥離紙を剥がして反対側の内周に貼り付ける。これで、裏返して廃棄物を中に入れた手袋を容易にシールすることができ、廃棄物がこぼれる恐れがない。特に、ポリエチレン、ポリプロピレン等の合成樹脂で枠と手袋本体とを一体に成形する場合には、プラスティックファスナーをも一体に成形することができ、大量生産できるので製造コストを低減することができる。
【００３８】
このようにして、裏返して廃棄物を中に入れた手袋を容易にシールすることができ、廃棄物がこぼれる恐れがなく、流動性を有する廃棄物を扱う場合にも廃棄物を掴んだ状態で衣服を汚すことなく裏返してゴミ袋とすることができる廃棄物処理用手袋となる。
【発明を実施するための最良の形態】
【００３９】
以下、本発明の実施の形態について、図面を参照しつつ説明する。
【００４０】
実施の形態１
まず、本発明の実施の形態１について、図１乃至図３を参照して説明する。
【００４１】
図１は本発明の実施の形態１にかかる廃棄物処理用手袋（以下、単に「手袋」ともいう。）の全体構成を挿入口側から見て示す斜視図である。図２（ａ），（ｂ），（ｃ）は本発明の実施の形態１にかかる手袋を用いて廃棄物を掴んで裏返して手袋をゴミ袋として使用する手順を示す斜視図である。図３は本発明の実施の形態１の変形例にかかる廃棄物処理用手袋の全体構成を挿入口側から見て示す斜視図である。
【００４２】
図１に示されるように、本実施の形態１にかかる廃棄物処理用手袋１は、手袋本体２が薄い透明なポリエチレンでできており、手袋本体２の内面には指先まで全面に滑り難くするためのシボ加工（極めて微細な突起を一面に施す加工）が施されているので、半透明に見える。手袋１の手の挿入口２ａは、通常成人の腕の太さより一回り大きく作られており、また挿入口２ａから手袋１の指先までの長さは手に装着したとき挿入口２ａが手首と肘の中間程度までくる長さであり、この挿入口２ａの外周に沿って同じくポリエチレン製の厚みをもった略円形の枠３が、熱接着によって隙間なく固定されている。
【００４３】
さらに、本実施の形態１の手袋１においては、親指を入れる部分４と人差し指を入れる部分５は通常の手袋と同様に作られているが、残りの３本の指を入れる部分６は一体に袋状になっている。これによって、汚れたグリース等からなるヘドロ等の流動性を有する廃棄物、或いは汚れたオイルを拭き取ったウエース等の液体を含んだ廃棄物を扱う場合にも、一体に袋状になっている部分６で掴むことによって、指の間から廃棄物がこぼれることなく漏らさず処理することができる。さらに、親指を入れる部分４と人差し指を入れる部分５がそれぞれ分かれているため、小さなゴミやネジ等の小さい部品も親指と人差し指で摘むことができ、より細かい作業もこなすことができる。
【００４４】
次に、本実施の形態１にかかる手袋１を用いて廃棄物を掴んで裏返して手袋１をゴミ袋として使用する手順について、図２を参照して説明する。
【００４５】
図２（ａ）に示されるように、まず手袋１を手に装着する。図では右手に装着したところを示しているが、通常の作業においては両手に装着する。そして、機械のオーバーホールや清掃等の作業が完了して廃棄物が溜まった場合には、図２（ｂ）に示されるように袋状になった部分６で廃棄物を掴んで、もう一方の手（この場合は左手）で剛性を有し腕Ｈよりも一回り大きいポリエチレン製の枠３を持って、枠３の内周が腕Ｈから離れるように保持しながら手首の方へ移動させる。これに伴って、手袋本体２が裏返されて行き、枠３の内周が大きいので廃棄物を掴んだ袋状になった部分６の拳も楽に通過することができ、図２（ｃ）に示されるように完全に裏返して右手を外すことによって、主に袋状になった部分６及び掌の部分７に廃棄物Ｄが収納されたゴミ袋となる。
【００４６】
このように、廃棄物Ｄを掴んで裏返す際には、もう一方の手で枠３を持って挿入口２ａの内周全周が腕Ｈから離れるように保持したまま枠３を廃棄物Ｄを握った手の方へ移動させて裏返せば、廃棄物Ｄを掴んだ拳も容易に枠３を通過して手袋本体２が廃棄物Ｄで汚れていても衣服の袖周りに汚れが飛び散る心配がない。また、廃棄物Ｄが燃えるものであり、燃やしても有害物質を発生しないものである場合には、手袋１が手袋本体２も枠３も全てポリエチレン製であり、燃やしてもダイオキシン等の有害物質を発生しないので、焼却処分することができる。
【００４７】
また、手袋１を裏返さない場合でも、挿入口２ａと腕Ｈとの間に大きな隙間があるので、この隙間から空気（息等）を吹き込んでやることによって指に貼り付いた手袋１の指先部分４，５，６と指との間が離れて、手を汚すことなく手袋１を容易に外すことができる。
【００４８】
このようにして、本実施の形態１にかかる廃棄物処理用手袋１は、オールポリエチレン製で柔軟性があって手袋として使い易く安価に製造できるとともに、燃えるゴミとして処理でき、流動性を有する廃棄物を扱う場合にも廃棄物を掴んだ状態で衣服を汚すことなく裏返してゴミ袋とすることができ、そのまま外す場合でも手を汚さずに容易に外すことができる。
【００４９】
次に、本実施の形態１の変形例にかかる廃棄物処理用手袋について、図３を参照して説明する。図３に示されるように、本実施の形態１の変形例にかかる廃棄物処理用手袋１１は、通常の手袋のように指が５本に分かれている、即ち中指を入れる部分８と薬指を入れる部分９と小指を入れる部分１０とが別々になっている。その他の部分の構造は、上記廃棄物処理用手袋１と同様なので説明を省略する。
【００５０】
これによって、手袋１１は流動性を有する廃棄物や液体を含んだ廃棄物を扱う場合には、廃棄物を５本の指部分４，５，８，９，１０と掌の部分７で掴んでも、流動体や液体が５本の指部分４，５，８，９，１０の間からこぼれる場合もあるが、その代わり５本の指が自由に使えるので細かい作業にも支障をきたさない。また、犬の糞等の流動性を有さない廃棄物（汚物）に対しては、掴んでもう一方の手で枠３を腕周りに接触しないように保持しながら手袋本体２を裏返すことによって、廃棄物（汚物）を入れたゴミ袋とすることができる。
【００５１】
また、作業後、手袋１１を外す際に、汗で５本の指が５本の指部分４，５，８，９，１０の内側に貼り付いて抜け難い場合でも、枠３と腕の間に大きな隙間があるのでこの隙間から空気（息等）を吹き込んでやることによって、５本の指が５本の指部分４，５，８，９，１０から離れて、手を汚すことなく容易に手袋１１を外すことができる。外した手袋１１は、燃えるゴミとして処分することができる。
【００５２】
さらに、別の変形例として、図示はしないが親指以外の４本の指を入れる部分を一体として袋状とした所謂ミトン型の廃棄物処理用手袋がある。このミトン型手袋は、袋状の部分が上記廃棄物処理用手袋１よりも広くなるので、流動性を有する廃棄物や液体を含んだ廃棄物を扱う場合には、より多くの廃棄物を掴んで裏返して収容することができる。
【００５３】
実施の形態２
次に、本発明の実施の形態２について、図４及び図５を参照して説明する。
【００５４】
図４は本発明の実施の形態２にかかる廃棄物処理用手袋の全体構成を挿入口側から見て示す斜視図である。図５は本発明の実施の形態２の変形例にかかる廃棄物処理用手袋の全体構成を挿入口側から見て示す斜視図である。
【００５５】
図４に示されるように、本実施の形態２にかかる廃棄物処理用手袋２１の手袋本体２の構造は、実施の形態１の廃棄物処理用手袋１とほぼ同じである。即ち、手袋本体２は薄い透明なポリエチレンでできており、手袋本体２の内面には指先まで全面に滑り難くするためのシボ加工が施されているので、半透明に見える。また、親指を入れる部分４と人差し指を入れる部分５は通常の手袋と同様に作られているが、残りの３本の指を入れる部分６は一体に袋状になっている。
【００５６】
手袋２１が手袋１と大きく異なるのは、手の挿入口２ａの部分である。枠１５は厚紙で作られており、その輪郭は略正方形で大きさは手袋１の枠３の略円形にほぼ外接する大きさである。この枠１５の内周に沿ってポリエチレン製の手袋本体２の挿入口２ａが、両面接着テープによって隙間なく固定されている。また、挿入口２ａから手袋２１の指先までの長さは、手に装着したとき挿入口２ａが手首と肘の中間程度までくる長さである。枠１５は厚紙製ではあるが、その１箇所を手で持ったときにも略正方形の輪郭が保持される程度の剛性は有している。
【００５７】
したがって、実施の形態１の手袋１と同様に使用することができる。即ち、機械のオーバーホールや清掃等の作業が完了して廃棄物が溜まった場合には、袋状になった部分６で廃棄物を掴んで、もう一方の手で腕よりも一回り大きい厚紙製の枠１５を持って、枠１５の内周が腕から離れるように保持しながら手首の方へ移動させる。これに伴って、手袋本体２が裏返されて行き、枠１５の内周が大きいので廃棄物を掴んだ袋状になった部分６の拳も楽に通過することができ、完全に裏返して手を外すことによって、主に袋状になった部分６及び掌の部分７に廃棄物が収納されたゴミ袋となる。
【００５８】
このように、廃棄物を掴んで裏返す際には、もう一方の手で枠１５を持って挿入口２ａの内周全周が腕から離れるように保持したまま枠１５を廃棄物を握った手の方へ移動させて裏返せば、廃棄物を掴んだ拳も容易に枠１５を通過して手袋本体２が廃棄物で汚れていても衣服の袖周りに汚れが飛び散る心配がない。また、廃棄物が燃えるものであり、燃やしても有害物質を発生しないものである場合には、手袋２１が手袋本体２はポリエチレン製であり、枠１５は厚紙製であり、燃やしてもダイオキシン等の有害物質を発生しないので、焼却処分することができる。
【００５９】
また、手袋２１を裏返さない場合でも、挿入口２ａと腕との間に大きな隙間があるので、この隙間から空気を吹き込んでやることによって指に貼り付いた手袋２１の指先部分４，５，６と指との間が離れて、手を汚すことなく手袋２１を容易に外すことができる。
【００６０】
さらに、枠１５が厚紙製で輪郭が略正方形であるため、まず対角を折り畳んで平らに潰し、さらに半分に折り曲げることによって手袋２１を小さく畳むことができる。このように、使い終わった手袋２１を単体で廃棄する場合も、廃棄物を包んで裏返してゴミ袋とした場合も、枠１５を小さく折り畳むことによってその後の処理が容易になる。
【００６１】
このようにして、本実施の形態２にかかる廃棄物処理用手袋２１は、手袋本体２がポリエチレン製で柔軟性があって手袋として使い易く、枠１５が厚紙製で安価に製造できるとともに、燃えるゴミとして処理でき、流動性を有する廃棄物を扱う場合にも廃棄物を掴んだ状態で衣服を汚すことなく裏返してゴミ袋とすることができ、そのまま外す場合でも手を汚さずに容易に外すことができる。
【００６２】
次に、本実施の形態２の変形例にかかる廃棄物処理用手袋について、図５を参照して説明する。図５に示されるように、本実施の形態２の変形例にかかる廃棄物処理用手袋２２は、通常の手袋のように指が５本に分かれている、即ち中指を入れる部分８と薬指を入れる部分９と小指を入れる部分１０とが別々になっている。その他の部分の構造は、上記廃棄物処理用手袋２１と同様なので説明を省略する。
【００６３】
これによって、手袋２２は流動性を有する廃棄物や液体を含んだ廃棄物を扱う場合には、廃棄物を５本の指部分４，５，８，９，１０と掌の部分７で掴んでも、流動体や液体が５本の指部分４，５，８，９，１０の間からこぼれる場合もあるが、その代わり５本の指が自由に使えるので細かい作業にも支障をきたさない。また、犬の糞等の流動性を有さない廃棄物（汚物）に対しては、掴んでもう一方の手で枠１５を腕周りに接触しないように保持しながら手袋本体２を裏返すことによって、廃棄物（汚物）を入れたゴミ袋とすることができる。
【００６４】
また、作業後、手袋２２を外す際に、汗で５本の指が５本の指部分４，５，８，９，１０の内側に貼り付いて抜け難い場合でも、枠１５と腕の間に大きな隙間があるのでこの隙間から空気（息等）を吹き込んでやることによって、５本の指が５本の指部分４，５，８，９，１０から離れて、手を汚すことなく容易に手袋２２を外すことができる。外した手袋２２は、燃えるゴミとして処分することができる。
【００６５】
さらに、別の変形例として、図示はしないが親指以外の４本の指を入れる部分を一体として袋状とした所謂ミトン型の廃棄物処理用手袋がある。このミトン型手袋は、袋状の部分が上記廃棄物処理用手袋２１よりも広くなるので、流動性を有する廃棄物や液体を含んだ廃棄物を扱う場合には、より多くの廃棄物を掴んで裏返して収容することができる。
【００６６】
本実施の形態２においては、枠１５の材料として厚紙を用いているが、代わりに厚紙の１種として段ボールを用いても良い。
【００６７】
実施の形態３
次に、本発明の実施の形態３について、図６及び図７を参照して説明する。
【００６８】
図６は本発明の実施の形態３にかかる廃棄物処理用手袋の全体構成を挿入口側から見て示す斜視図である。図７は本発明の実施の形態３の変形例にかかる廃棄物処理用手袋の全体構成を挿入口側から見て示す斜視図である。
【００６９】
図６に示されるように、本実施の形態３にかかる廃棄物処理用手袋２３の手袋本体２の構造は、実施の形態１の廃棄物処理用手袋１とほぼ同じである。即ち、手袋本体２は薄い透明なポリエチレンでできており、手袋本体２の内面には指先まで全面に滑り難くするためのシボ加工が施されているので、半透明に見える。また、親指を入れる部分４と人差し指を入れる部分５は通常の手袋と同様に作られているが、残りの３本の指を入れる部分６は一体に袋状になっている。
【００７０】
手袋２３が手袋１と異なるのは、手の挿入口２ａの部分である。枠１３は手袋本体２と同じ材料で厚みをもったポリエチレンで作られており、挿入口２ａの外周に沿って熱接着によって隙間なく固定されている。その輪郭は略円形で、大きさは手袋１の枠３とほぼ同じである。しかしながら、この枠１３の外周には等間隔で厚さの薄い部分１３ａが４箇所に設けられている。なお、挿入口２ａから手袋２３の指先までの長さは、手に装着したとき挿入口２ａが手首と肘の中間程度までくる長さである。
【００７１】
したがって、実施の形態１の手袋１と同様に使用することができる。即ち、機械のオーバーホールや清掃等の作業が完了して廃棄物が溜まった場合には、袋状になった部分６で廃棄物を掴んで、もう一方の手で剛性を有し腕よりも一回り大きいポリエチレン製の枠１３を持って、枠１３の内周が腕から離れるように保持しながら手首の方へ移動させる。これに伴って、手袋本体２が裏返されて行き、枠１３の内周が大きいので廃棄物を掴んだ袋状になった部分６の拳も楽に通過することができ、完全に裏返して右手を外すことによって、主に袋状になった部分６及び掌の部分７に廃棄物が収納されたゴミ袋となる。
【００７２】
このように、廃棄物を掴んで裏返す際には、もう一方の手で枠１３を持って挿入口２ａの内周全周が腕から離れるように保持したまま枠１３を廃棄物を握った手の方へ移動させて裏返せば、廃棄物を掴んだ拳も容易に枠１３を通過して手袋本体２が廃棄物で汚れていても衣服の袖周りに汚れが飛び散る心配がない。また、廃棄物が燃えるものであり、燃やしても有害物質を発生しないものである場合には、手袋２３が手袋本体２も枠１３も全てポリエチレン製であり、燃やしてもダイオキシン等の有害物質を発生しないので、焼却処分することができる。
【００７３】
また、手袋２３を裏返さない場合でも、挿入口２ａと腕との間に大きな隙間があるので、この隙間から空気を吹き込んでやることによって指に貼り付いた手袋２３の指先部分４，５，６と指との間が離れて、手を汚すことなく手袋２３を容易に外すことができる。
【００７４】
そして、枠１３を４箇所の厚さの薄い部分１３ａで折ることによって、円周の４分の１以下に小さく畳むことができる。このように、使い終わった手袋２３を単体で廃棄する場合も、廃棄物を包んで裏返してゴミ袋とした場合も、枠１３を小さく折り畳むことによってその後の処理が容易になる。
【００７５】
このようにして、本実施の形態３にかかる手袋２３は、オールポリエチレン製で柔軟性があって手袋として使い易く安価に製造できるとともに、燃えるゴミとして処理でき、流動性を有する廃棄物を扱う場合にも廃棄物を掴んだ状態で衣服を汚すことなく裏返してゴミ袋とすることができ、そのまま外す場合でも手を汚さずに容易に外すことができ、枠１３を４箇所の厚さの薄い部分１３ａで折ることによって、円周の４分の１以下に小さく畳むことができ、使用後の処理が容易になる。
【００７６】
次に、本実施の形態３の変形例にかかる廃棄物処理用手袋について、図７を参照して説明する。図７に示されるように、本実施の形態３の変形例にかかる廃棄物処理用手袋２４は、手袋本体２の部分の構造は、上記廃棄物処理用手袋２３と同様であるので説明を省略する。手袋２３と異なるのは、枠１４がやはりポリエチレン製で厚みを有し、輪郭が略正方形に作られている点である。この枠１４は、挿入口２ａの外周に沿って熱接着によって隙間なく固定されている。
【００７７】
この手袋２４を作業に使用して、廃棄する段階になったら、枠１４の輪郭が略正方形で角があるので弾性の有るポリエチレン製でも折り曲げ易く、まず対角同士を合わせるように枠１４を平らに畳み、さらに合わせた対角のところで２つに折り曲げることによって、小さく畳むことができ、その後の処理が容易になる。
【００７８】
このようにして、本実施の形態３の変形例にかかる手袋２４は、オールポリエチレン製で柔軟性があって手袋として使い易く安価に製造できるとともに、燃えるゴミとして処理でき、流動性を有する廃棄物を扱う場合にも廃棄物を掴んだ状態で衣服を汚すことなく裏返してゴミ袋とすることができ、そのまま外す場合でも手を汚さずに容易に外すことができ、枠１４を４箇所の角部で折ることによって小さく畳むことができ、使用後の処理が容易になる。
【００７９】
実施の形態４
次に、本発明の実施の形態４について、図８を参照して説明する。図８（ａ）は本発明の実施の形態４にかかる廃棄物処理用手袋を右手に装着した状態の全体構成を挿入口側から見て示す斜視図、（ｂ）は接着布の硬い側と軟らかい側を接着することによって挿入口を閉じた状態の全体構成を示す斜視図である。
【００８０】
図８（ａ）に示されるように、本実施の形態４にかかる廃棄物処理用手袋２５の基本的な構成は実施の形態１の廃棄物処理用手袋１と同様なので、同一符号を付して説明を省略する。手袋２５が手袋１と異なる点は、図示されるようにポリエチレン製の手袋本体２の枠３の近傍に、所定間隔で接着布（マジックテープ：登録商標）の硬い側１６Ａと軟らかい側１６Ｂとが接着固定されている点である。手袋２５を手に装着する場合や外す場合、そして手袋２５の袋状の部分６と掌の部分７で廃棄物を掴んで裏返しにする場合等には、図８（ａ）に示されるように接着布の硬い側１６Ａと軟らかい側１６Ｂとが離れた状態とする。
【００８１】
しかし、機械のオーバーホールや清掃等の作業を行う場合には、腕Ｈより一回り大きく作られた枠３部分が、ギアやその他の突出部分に引っ掛かって作業がやり難い場合がある。そこで、図８（ｂ）に示されるように、手袋２５を手に装着した状態で、もう一方の手で枠３を折り曲げながら接着布の軟らかい側１６Ｂを接着布の硬い側１６Ａに接着させる。これによって、手袋本体２及び挿入口２ａが腕Ｈの周囲に密着して、手袋２５がギアやその他の突出部分に引っ掛かることもなく、作業がやり易くなる。
【００８２】
そして、上述の如く、手袋２５の袋状の部分６と掌の部分７で廃棄物を掴んで裏返しにする場合には、腕Ｈを広いところへ引き出してからもう一方の手で接着布の軟らかい側１６Ｂを接着布の硬い側１６Ａから剥がして、図８（ａ）に示される状態に戻す。それから、もう一方の手で枠３を腕Ｈに接触しないように保持しながら掴んだ拳の方へ移動させて行けば、両手とも汚すことなく手袋２５を裏返して廃棄物を収容したゴミ袋とすることができる。
【００８３】
このようにして、本実施の形態４にかかる廃棄物処理用手袋２５においては、作業中のみ挿入口２ａを折り畳んで腕Ｈにぴったりフィットさせて作業をし易くできるとともに、流動性を有する廃棄物を扱う場合にも廃棄物を掴んだ状態で衣服を汚すことなく裏返してゴミ袋とすることができ、そのまま外す場合でも手を汚さずに容易に外すことができる。
【００８４】
本実施の形態４においては、手袋本体２及び挿入口２ａを腕Ｈの周囲に密着させるための止め具として接着布の硬い側１６Ａと軟らかい側１６Ｂを用いたが、他にもスナップの凸側と凹側や、ドット釦の凸側と凹側等の止め具を用いることができる。
【００８５】
実施の形態５
次に、本発明の実施の形態５について、図９を参照して説明する。図９（ａ）は本発明の実施の形態５にかかる廃棄物処理用手袋の全体構成を手袋本体側から見て示す斜視図、（ｂ）は廃棄物を掴んで手袋本体を完全に裏返した状態を示す斜視図、（ｃ）は枠をプラスティックファスナーで閉じた状態を示す斜視図である。
【００８６】
図９（ａ）に示されるように、本実施の形態５にかかる廃棄物処理用手袋２６の基本的な構成は、図７に示される実施の形態３の変形例にかかる廃棄物処理用手袋２４と同様なので、同一符号を付して説明を省略する。手袋２６が手袋２４と異なるのは、ポリエチレン製の枠１４に近接してポリエチレン製の手袋本体２の表側に、略正方形の輪郭を有する枠１４の隣合う２辺に沿ってやはりポリエチレン製のプラスティックファスナーの雄側１７Ａが、他の２辺に沿ってプラスティックファスナーの雌側１７Ｂが、それぞれ設けられている点である。
【００８７】
かかる構成の廃棄物処理用手袋２６を用いて、廃棄物Ｄを袋状の部分６及び掌の部分７で掴んで、もう一方の手で枠１４を保持して手袋２６を裏返す。図９（ｂ）に示されるように完全に裏返った状態では、プラスティックファスナーの雄側１７Ａ及び雌側１７Ｂが丁度枠１４の内壁に沿って内側を向いた状態になっている。そこで、枠１４の１つの角１４ａとその対角１４ｂとを合わせるように枠１４を折り畳みながら、プラスティックファスナーの雄側１７Ａと雌側１７Ｂを嵌め合わせれば、図９（ｃ）に示されるように廃棄物Ｄを入れた状態で手袋２６を枠１４の位置でシールすることができ、廃棄物Ｄがこぼれる心配がない。
【００８８】
なお、この手袋２６は、廃棄物処理用ばかりでなく、料理用手袋としても活用することができる。例えば、両手にこの手袋２６を嵌めて、料理用ボウルの中でミンチ肉・炒めたタマネギ・卵・パン粉等を混ぜ合わせて良く捏ねてハンバーグの形状に整え、握ったまま手袋２６を裏返して、プラスティックファスナー１７Ａ，１７Ｂでシールすれば、冷蔵庫の中で保存することもできる。また、パン生地やケーキ生地等も両手に手袋２６を嵌めて良く捏ねた後、手袋２６を裏返してプラスティックファスナー１７Ａ，１７Ｂでシールすれば、所定の温度で生地をねかせることもできる。さらに、浅漬けの漬物を作るときでも、両手で良く混ぜ合わせてから、手袋２６を裏返してプラスティックファスナー１７Ａ，１７Ｂでシールすれば、入れ物としてそのまま冷蔵庫に保存することができる。
【００８９】
このようにして、本実施の形態５にかかる廃棄物処理用手袋２６においては、裏返して廃棄物を中に入れた手袋を容易にシールすることができ、廃棄物がこぼれる恐れがなく、流動性を有する廃棄物を扱う場合にも廃棄物を掴んだ状態で衣服を汚すことなく裏返してゴミ袋とすることができる。さらに、廃棄物処理用ばかりでなく、料理用手袋としても活用することができる。
【００９０】
本実施の形態５においては、シール用部材としてプラスティックファスナー１７Ａ，１７Ｂを用いたが、シール用部材として接着布の硬い側と軟らかい側或いは両面テープを用いても良い。また、本実施の形態５においては、プラスティックファスナー１７Ａ，１７Ｂが手袋２６を裏返したときに枠１４の内側にくるようにしているが、枠１４から離れた位置にプラスティックファスナー１７Ａ，１７Ｂがくるようにして、枠１４から離れた位置でシールするようにしても良い。
【００９１】
上記各実施の形態においては、手袋本体２として薄いシボ付きのポリエチレンを用いた例について説明したが、手袋本体の材料としてはこれに限られるものでなく、介護用の薄手のナイロン製手袋や、清掃作業車の作業員等が用いる厚手のゴム手袋等を用途に応じて用いることができる。
【００９２】
また、上記各実施の形態においては、枠の形状を略円形または略正方形としているが、枠の形状はこれに限られるものでなく、楕円形や五角形以上の多角形等、種々の形状とすることができる。
【００９３】
本発明を実施するに際しては、廃棄物処理用手袋のその他の部分の構成、形状、数量、材質、大きさ、接続関係等についても、本実施の形態に限定されるものではない。
【図面の簡単な説明】
【００９４】
【図１】図１は本発明の実施の形態１にかかる廃棄物処理用手袋の全体構成を挿入口側から見て示す斜視図である。
【図２】図２（ａ），（ｂ），（ｃ）は本発明の実施の形態１にかかる手袋を用いて廃棄物を掴んで裏返して手袋をゴミ袋として使用する手順を示す斜視図である。
【図３】図３は本発明の実施の形態１の変形例にかかる廃棄物処理用手袋の全体構成を挿入口側から見て示す斜視図である。
【図４】図４は本発明の実施の形態２にかかる廃棄物処理用手袋の全体構成を挿入口側から見て示す斜視図である。
【図５】図５は本発明の実施の形態２の変形例にかかる廃棄物処理用手袋の全体構成を挿入口側から見て示す斜視図である。
【図６】図６は本発明の実施の形態３にかかる廃棄物処理用手袋の全体構成を挿入口側から見て示す斜視図である。
【図７】図７は本発明の実施の形態３の変形例にかかる廃棄物処理用手袋の全体構成を挿入口側から見て示す斜視図である。
【図８】図８（ａ）は本発明の実施の形態４にかかる廃棄物処理用手袋を右手に装着した状態の全体構成を挿入口側から見て示す斜視図、（ｂ）は接着布の硬い側と軟らかい側を接着することによって挿入口を閉じた状態の全体構成を示す斜視図である。
【図９】図９（ａ）は本発明の実施の形態５にかかる廃棄物処理用手袋の全体構成を手袋本体側から見て示す斜視図、（ｂ）は廃棄物を掴んで手袋本体を完全に裏返した状態を示す斜視図、（ｃ）は枠をプラスティックファスナーで閉じた状態を示す斜視図である。
【符号の説明】
【００９５】
１，１１，２１，２２，２３，２４，２５，２６  廃棄物処理用手袋
２  手袋本体
２ａ  挿入口
３，１３，１４，１５  枠
４  親指を入れる部分
５  人差し指を入れる部分
６  ３本の指を入れる部分
１３ａ  厚さの薄い部分
１６Ａ  接着布の硬い側
１６Ｂ  接着布の軟らかい側
１７Ａ  プラスティックファスナーの雄側
１７Ｂ  プラスティックファスナーの雌側
Ｄ  廃棄物（汚物）
Ｈ  腕
【図１】
2005188002.tif 000003
【図２】
2005188002.tif 000004
【図３】
2005188002.tif 000005
【図４】
2005188002.tif 000006
【図５】
2005188002.tif 000007
【図６】
2005188002.tif 000008
【図７】
2005188002.tif 000009
【図８】
2005188002.tif 000010
【図９】
2005188002.tif 000011